(57)【要約】【課題】ウェットティッシュの取り出し口の蓋と、水や薬液等の洗浄用の液体が入ったボトルの取り出し口の蓋とを別個に設けたウェットティッシュ加熱装置を提供する。【解決手段】ウェットティッシュ容器２０を収納するウェットティッシュ収納部５２と、収納部５２内のウェットティッシュ容器２０を加熱する発熱体５０とを備えたウェットティッシュ加熱装置３０において、洗浄用の液体が貯留されるボトル１０を収納するボトル収納部５４と、ボトル収納部５４内のボトル１０を加熱するボトル用発熱体５１と、ウェットティッシュ収納部５２に収納されたウェットティッシュを取り出すウェットティッシュ取り出し口８６の上方を閉塞する第１の蓋９０と、ボトル収納部５４に収納されたボトル１０を取り出すボトル取り出し口８８の上方を閉塞する第２の蓋９２とを具備することを特徴とする。【選択図】        図４
2004208782.tif 000002
【特許請求の範囲】
【請求項１】
ウェットティッシュを１枚ずつ取り出し可能に収容したウェットティッシュ容器を収納するウェットティッシュ収納部と、
該収納部内の前記ウェットティッシュ容器を加熱する発熱体とを備えたウェットティッシュ加熱装置において、
洗浄用の液体が貯留されるボトルを収納するボトル収納部と、
前記ボトル収納部内のボトルを加熱するボトル用発熱体と、
前記ウェットティッシュ収納部に収納されたウェットティッシュを取り出すウェットティッシュ取り出し口の上方を閉塞する第１の蓋と、
前記ボトル収納部に収納されたボトルを取り出すボトル取り出し口の上方を閉塞する第２の蓋とを具備することを特徴とするウェットティッシュ加熱装置。
【請求項２】
前記第１の蓋の閉じる動作に連動して、前記第２の蓋が閉じる動作を行なうように設けられていることを特徴とする請求項１記載のウェットティッシュ加熱装置。
【請求項３】
ウェットティッシュを１枚ずつ取り出し可能に収容したウェットティッシュ容器を収納するウェットティッシュ収納部と、
該収納部内の前記ウェットティッシュ容器を加熱する発熱体とを備えたウェットティッシュ加熱装置において、
洗浄用の液体が貯留されるボトルを収納するボトル収納部と、
前記ボトル収納部内のボトルを加熱するボトル用発熱体と、
前記ウェットティッシュ収納部に収納されたウェットティッシュを取り出すウェットティッシュ取り出し口の上方を閉塞する第１の蓋と、
前記ボトル収納部に収納されたボトルを取り出すボトル取り出し口の上方を閉塞する第２の蓋と、
前記収納部および前記ボトル収納部を有する下ケースと、
前記ウェットティッシュ取り出し口および前記ボトル取り出し口が形成され、前記収納部および前記ボトル収納部の上面開口部を覆うように配置された上ケースとを具備し、
前記上ケースには、
前記第１の蓋が常時開状態となるように、第１の蓋を付勢する第１の付勢手段と、
前記第２の蓋が常時開状態となるように、第２の蓋を付勢する第２の付勢手段と、
前記第１の付勢手段による付勢力に抗して前記第１の蓋を閉状態にロックする第１のロック機構と、
前記第２の付勢手段による付勢力に抗して前記第２の蓋を閉状態にロックする第２のロック機構とが設けられ、
前記第１の蓋は、前記第１の蓋を開状態から閉状態となるように押圧した際に、第２の蓋を押圧するための押圧部を有することを特徴とするウェットティッシュ加熱装置。
【請求項４】
前記第２の蓋には、前記第１の蓋の下面に当接するように突出している突起部が形成され、
前記第１の蓋の下面が、前記押圧部として第２の蓋の突起部を押圧することを特徴とする請求項３記載のウェットティッシュ加熱装置。
【発明の詳細な説明】
【０００１】
【発明の属する技術分野】
本発明は、ウェットティッシュを加熱するウェットティッシュ加熱装置に関する。
【０００２】
【従来の技術】
ウェットティッシュは、薬液等が含浸されて常に濡れた状態にあるティッシュである。このウェットティッシュはおしぼり等と同様に、人体を拭くことに用いる場合が多く、使い捨てができることから病人や乳幼児のお尻を拭くといったことにも用いられている。
かかるウェットティッシュは、ビニール等の袋であるウェットティッシュ容器内に１枚ずつ折り畳まれて収容されている。この単なる袋であるウェットティッシュ容器に収容されているウェットティッシュは、外気温の変化に伴って温度が変化する。特に、外気温の低下によって冷たくなったウェットティッシュを使用すると、ウェットティッシュが肌に触れた際のショック等によって病人や乳幼児に不快感を与え、眠っていた病人が起きてしまったり、乳幼児が急に泣きだしたりするといったことがあった。
【０００３】
このため、ウェットティッシュを容器ごと加熱することができるウェットティッシュ加熱装置が、従来から開発されている（例えば、特許文献１〜特許文献３参照）。
かかる装置によれば、ウェットティッシュ容器を収納する収納部の外壁面や外底面にヒータが設けられ、ウェットティッシュが容器ごと加熱されるようになっていた。
【０００４】
なお、赤ちゃんのおしりなどには、汚れがこびりついている場合もある。このようなこびりついている汚れを落とさなくてはならない場合にあっては、ウェットティッシュだけでその汚れを落とすのは困難であり、汚れに対して直接水や薬液等の洗浄用の液体をかける必要が生じていた。
さらに、ウェットティッシュは、一旦その容器から取り出してしまうとすぐに乾燥してしまうので、乾燥しつつあるウェットティッシュを湿らせるためにウェットティッシュに水や薬液等の洗浄用の液体をかける場合もあった。
【０００５】
そこで、こびりついた汚れを確実に落とすべく、洗浄用の液体を直接病人や乳幼児にかける場合には、不快感を与えない程度の温度に水や洗浄液を加熱しておく必要がある。
また、ウェットティッシュに洗浄用の液体をかけ、再度湿らせたウェットティッシュを用いる場合であっても、冷たい水や洗浄液で湿らせたウェットティッシュでは病人や乳幼児に不快感を与えてしまう。
そこで、ウェットティッシュを使用する際には、ウェットティッシュと共に水や洗浄液を加熱しておくことが望まれている。
【０００６】
【特許文献１】
特開平１１−１８９８７号公報（図３等）
【特許文献２】
特開平１１−１８９８８号公報（図３等）
【特許文献３】
特開平１１−１８９８９号公報（図３等）
【０００７】
【発明が解決しようとする課題】
従来から知られているウェットティッシュ加熱装置に、洗浄用の液体の入ったボトルを収納するボトル収納部を設けた場合、もしもウェットティッシュを取り出す取り出し口とボトルを取り出す取り出し口の両方を閉塞する蓋が１つだけ設けられているだけであれば、たとえどちらか一方を使用するだけであっても常に両取り出し口が開放されることとなり、加熱装置内の温度低下を必要以上に招くおそれがある。
つまり、ウェットティッシュを使用するだけであって、洗浄用の液体を使用しない場合もあるので、ウェットティッシュ用の蓋とボトル用の蓋が別個に必要とされるという課題があった。
【０００８】
また、ウェットティッシュを取り出す取り口とボトルを取り出す取り出す口に、それぞれ別個の蓋を設けた場合には、それぞれに開閉用のスイッチが有ることが望ましいが、特にウェットティッシュを取り出す側の蓋を閉じようとする場合においては、通常は洗浄液の使用も終了しているはずであるから、ボトルを取り出す口側の蓋も閉じようと、ユーザ側では欲するはずである。
かかる場合、各蓋を閉じる動作をそれぞれ行なうのでは手間がかかるので、装置内部の温度低下や水分の蒸発等を防止するためにも簡単に手早く蓋を閉じる動作を行なうことが望まれているという課題があった。
【０００９】
したがって、本発明は上記課題を解決すべくなされ、その目的とするところは、ウェットティッシュの取り出し口の蓋と、水や薬液等の洗浄用の液体が入ったボトルの取り出し口の蓋とを別個に設けたウェットティッシュ加熱装置を提供することにある。
【００１０】
【課題を解決するための手段】
本発明は上記目的を達成するために次の構成を備える。
本発明に係るウェットティッシュ加熱装置によれば、ウェットティッシュを１枚ずつ取り出し可能に収容したウェットティッシュ容器を収納するウェットティッシュ収納部と、該収納部内の前記ウェットティッシュ容器を加熱する発熱体とを備えたウェットティッシュ加熱装置において、洗浄用の液体が貯留されるボトルを収納するボトル収納部と、前記ボトル収納部内のボトルを加熱するボトル用発熱体と、前記ウェットティッシュ収納部に収納されたウェットティッシュを取り出すウェットティッシュ取り出し口の上方を閉塞する第１の蓋と、前記ボトル収納部に収納されたボトルを取り出すボトル取り出し口の上方を閉塞する第２の蓋とを具備することを特徴としている。
この構成を採用することによって、ボトルを取り出す必要がないときは、ウェットティッシュを取り出す蓋だけを開けて使用することができ、必要以上に装置内部を開放しないので温度低下を防止できる。
【００１１】
また、前記第１の蓋の閉じる動作に連動して、前記第２の蓋が閉じる動作を行なうように設けられている。
これによれば、通常はウェットティッシュの使用が終わればボトルの使用も終了しているはずであるので、ウェットティッシュを使用した後にウェットティッシュの取り出し口の蓋を閉じれば、これに伴ってボトルを取り出し口の蓋も閉じられる。このため、蓋閉じに手間がかからず、迅速に蓋を閉めることができるので、装置内部の温度低下や水分の蒸発の防止に寄与する。
【００１２】
本発明に係るウェットティッシュ加熱装置によれば、ウェットティッシュを１枚ずつ取り出し可能に収容したウェットティッシュ容器を収納するウェットティッシュ収納部と、該収納部内の前記ウェットティッシュ容器を加熱する発熱体とを備えたウェットティッシュ加熱装置において、洗浄用の液体が貯留されるボトルを収納するボトル収納部と、前記ボトル収納部内のボトルを加熱するボトル用発熱体と、前記ウェットティッシュ収納部に収納されたウェットティッシュを取り出すウェットティッシュ取り出し口の上方を閉塞する第１の蓋と、前記ボトル収納部に収納されたボトルを取り出すボトル取り出し口の上方を閉塞する第２の蓋と、前記収納部および前記ボトル収納部を有する下ケースと、前記ウェットティッシュ取り出し口および前記ボトル取り出し口が形成され、前記収納部および前記ボトル収納部の上面開口部を覆うように配置された上ケースとを具備し、前記上ケースには、前記第１の蓋が常時開状態となるように、第１の蓋を付勢する第１の付勢手段と、前記第２の蓋が常時開状態となるように、第２の蓋を付勢する第２の付勢手段と、前記第１の付勢手段による付勢力に抗して前記第１の蓋を閉状態にロックする第１のロック機構と、前記第２の付勢手段による付勢力に抗して前記第２の蓋を閉状態にロックする第２のロック機構とが設けられ、前記第１の蓋は、前記第１の蓋を開状態から閉状態となるように押圧した際に、第２の蓋を押圧するための押圧部を有することを特徴としている。
この構成を採用することによって、ウェットティッシュと洗浄用の液体の双方を使用した後に、ウェットティッシュ用の蓋を閉じようとすると、この蓋がボトル用の蓋も押圧して閉じさせようとするので、ワンプッシュで２つの蓋を同時に閉じることができる。このため、蓋を閉じる際の手間を軽減でき、迅速に蓋を閉めることができるので、最終的に装置内部の温度低下や水分の蒸発の防止に寄与する。
【００１３】
また、前記第２の蓋には、前記第１の蓋の下面に当接するように突出している突起部が形成され、前記第１の蓋の下面が、前記押圧部として第２の蓋の突起部を押圧することを特徴とすれば、比較的簡単な構造でコストをかけずに、蓋を閉じる際の手間を軽減でき、迅速に蓋を閉めることができる。
【００１４】
【発明の実施の形態】
以下、本発明に係るウェットティッシュ加熱装置の好適な実施の形態を添付図面に基づいて詳細に説明する。
本発明は、ウェットティッシュ容器の取り出し口を閉塞する蓋と、洗浄用の液体が入ったボトルの取り出し口を閉塞する蓋をそれぞれ設けた点が特徴となっている。
【００１５】
図１〜図５に、本発明に係るウェットティッシュ加熱装置の外観構造について示し、図６〜図７にウェットティッシュ加熱装置の内部構造について示す。
ウェットティッシュ加熱装置３０は、ウェットティッシュ容器２０（図６、７参照）を収納して加熱する下ケース３４と、下ケース３４の上面開口部を覆って下ケースを閉塞する上ケース３２とから形成されている。
【００１６】
上ケース３２の上面外周側には、持ち運びの際に使用する把手３６が設けられている。把手３６は、上方に向けて回動自在に設けられており、持ち運びの際には把手３６を上方に回動させて持ち運び、ウェットティッシュの取り出しの際には、取り出しの邪魔にならないように下方に回動させることができる。
また把手３６は、持ち運び時以外のときには、上ケース３２の外周部分よりも外方に突出しないように、上ケース３２の外壁面が凹んで形成された把手収納部３７内に収納可能に設けられている。このため、把手３６を設けたにもかかわらず、全体の大きさを把手３６が設けられていない場合と同様の大きさとなるように全体の小型化を図ることができる。
【００１７】
また、下ケース３４には脚部３５と電源スイッチ３３が設けられている。電源スイッチ３３は、電源がＯＮになると点灯する電源表示ランプ３９を具備している。
また、下ケース３４には、家庭用電源（ＡＣ１００Ｖ）に接続するための電源コードが設けられているが図面上は省略している。
【００１８】
上ケース３２と下ケース３４とは、正面側においては留め具(バックル)４０によって固定され、後方において上ケース３２と下ケース３４のそれぞれに設けられて互いに係合する係合部によって係合して固定されている。なお、上ケース３２に設けられた係合部は図面上省略されているが、下ケース３４に設けられた係合部７２は図１０に示されている。
留め具４０は、下ケース３４の外壁面に沿って湾曲した形状を有している。留め具４０の下端部４０ｂは、連結部材２２（図６）を介して下ケース３４の外壁面に回動可能となるように取り付けられている。留め具４０の上端部４０ａは鉤状に形成され、上ケース３２の外壁に形成された鉤状部２４に係止するように設けられている。
留め具４０は、上ケース３２と下ケース３４にわたって形成された凹部４１内に収納され、上ケース３２と下ケース３４とが固定された状態では留め具４０が上ケース３２および下ケース３４の外壁面よりも突出しないように設けられている。
【００１９】
上ケース３２と下ケース３４とを固定するには、まず留め具４０の上端部４０ａを上ケース３２の鉤状部２４に掛け、その後留め具４０の下端部４０ｂを下ケース３４の外壁表面側に押すことによって行なわれる。こうして、留め具４０の上端部４０ａが上ケース３２を下方へ引っ張り、上ケース３２と下ケース３４とが固定されることとなる。留め具４０を解除するには、留め具４０の下端部４０ｂを下ケース３４の外壁表面から離間させつつ上方へ引き上げることにより行なわれる。こうして留め具４０の上端部４０ａが上ケース３２の鉤状部２４との係止が解除され、上ケース３２と下ケース３４との固定が解除される。
【００２０】
続いて下ケースの構造について、上述した図面に加えて図８〜図１１も参照しつつ説明する。
下ケース３４は嵌合部４４において内ケース３４ａと外ケース３４ｂとに分離可能である。
内ケース３４ａが、ウェットティッシュ容器２０および液体が入れられるボトル２０を収納するために有底のカップ状に形成された収納容器である。内ケース３４ａは、ウェットティッシュ容器およびボトルを収納するための凹部が形成されている収納容器部４５と、収納容器部４５上端から外側に延びる上端縁部４７と、上端縁部４７から収納容器部４５の深さに対して上側のほぼ半分程度まで収納容器部４５を覆うように下方に向かって延びる外壁部４９とを有し、外壁部４９の下端縁に嵌合部４４が形成されている。内ケース３４ａの上端縁部４７は、下面４７ａと上面４７ｂから成り、２段に形成されている。
内ケース３４ａの収納容器部４５の外壁面に発熱体５０が取り付けられている。発熱体５０の詳細については後述するが、発熱体５０によって収納容器部４５の内部が加熱される。
【００２１】
外ケース３４ｂは、収納容器部４５の底面側と、収納容器部４５の外壁面下部外方を覆い、その上端縁が嵌合部４４として形成されている。嵌合部４４により、内ケース３４ａと外ケース３４ｂが分離可能に嵌合される。
なお、かかる内ケース３４ａ，外ケース３４ｂは、ＰＰ，ＰＥ，ＰＣ，ＰＳ，ＡＳ，ＰＶＣ，ＡＢＳ，ＰＥＴ等による合成樹脂で形成されている。
【００２２】
内ケース３４ａには、底面から下方に向けてネジ穴を有するボス部４６が設けられている。内ケース３４ａのボス部４６と外ケース３４ｂのボス部４８の間をネジ止めすることで内ケース３４ａと外ケース３４ｂとが固定される。
このように、下ケース３４は二重壁構造になっているので断熱効果が高く、且つ外ケース３４ｂを取り外すことにより内ケース３４ａの外壁面の下半分があらわになり発熱体の組み込み等を容易に行える。
なお、下ケース３４は、上述したような二重壁構造に設けなくともよい。
【００２３】
次に、内ケースに設けられたウェットティッシュ収納部と、ボトル収納部について説明する。
本実施形態では、ウェットティッシュ収納部５２とボトル収納部５４は、内ケース３４ａの収納容器部４５の凹部の内部において、一体となって設けられている。
ウェットティッシュ収納部５２は、少なくともウェットティッシュ容器２０を収納可能な大きさに形成されているが、ウェットティッシュ容器２０にはウェットティッシュを製造する各メーカーにより様々な大きさのものが存在しているため、それらメーカーの中でも最も大きなウェットティッシュ容器２０の大きさに合わせてウェットティッシュ収納部５２の大きさを設定するとよい。
【００２４】
ウェットティッシュ収納部５２の内壁面には収納容器部内方に突出する突条（リブ）５５が設けられている。この突条５５は、ウェットティッシュ収納部５２の内壁面全面に所定間隔をおいて複数本設けられている。このため、ウェットティッシュ容器２０をウェットティッシュ収納部５２内に収納した場合、ウェットティッシュ容器２０はウェットティッシュ収納部５２の内壁面には直接接触せずに突条５５によって保持されて収納される。
【００２５】
このように、ウェットティッシュ収納部５２内に収納されたウェットティッシュ容器２０は突条５５により支持されているので、発熱体５０によって加熱された収納容器部４５との接触による熱伝導では加熱されず、隣り合う突条５５どうしの間に存在する空気からの熱伝導や、収納容器部４５の内壁面からの輻射熱によって行われる。
ウェットティッシュ容器２０が、空気からの熱伝導や内壁面からの輻射熱によって加熱されることで、接触による熱伝導での部分的な加熱を防ぐことができ、ウェットティッシュの部分的な乾燥や、過熱による変色等を防ぐことができる。
特に、空気が加熱されることで対流が起き、ウェットティッシュ全体が均一に加熱される。
また、突条５５にスリット（図示せず）を形成することによって、隣り合う突条５５の間で空気が流通可能になり、熱のこもりを防ぐことができる。
【００２６】
次にボトル収納部について説明する。
内ケース３４ａの収納容器部４５には、洗浄用の液体が入れられるボトル１０を収納可能なボトル収納部５４が形成されている。
ボトル収納部５４は、ウェットティッシュ収納部５２の空間と特に仕切等が無く、加熱された空気がボトル収納部５４とウェットティッシュ収納部５２との間を自由に行き来して循環するよう、連通して形成されている。すなわち、内ケース３４ａの収納容器部４５は、ウェットティッシュを収納するための凹部であるウェットティッシュ収納部５２と、ボトルを収納するための凹部であるボトル収納部５４とが一体となった一つの凹部を形成しているのである。
【００２７】
本実施形態による収納容器部４５は、平面視すると、長方形の一方の短辺に三角形を取り付けたような五角形状に形成されている。ここで、このような形状の凹部のうち、長方形部分がウェットティッシュ収納部であり、この長方形の短辺から外方に突出した三角形状の部分がボトル収納部である。
なお、収納容器部４５としての凹部（ウェットティッシュ収納部およびボトル収納部）の形状としては平面視五角形状に限られることはない。
【００２８】
本実施形態のボトル収納部５４には、ボトル１０を起立させた状態で収納可能となっており、ボトルの下部を収納し保持する収納凹部５６が、内ケース３４ａの内壁面から下方に向けて凹むようにして設けられている。この収納凹部５６が、特許請求の範囲でいう転倒防止手段である。収納凹部５６は、ウェットティッシュ収納部５２の底面５２ａよりも下方に突出するように形成されている。この収納凹部５６の深さは、ボトル１０の長さに合わせて設定される。
また、ボトル収納部５４において、収納凹部５６の内壁面５６ａと、収納されるボトルの周囲に立設されている内ケース３４ａの三角形状に形成された部分の内壁面４５ａとは、同一平面に形成されている（図９）。このため、ボトル１０に収納容器部４５の内壁面がより接近することとなり、ボトル１０は効率良く加熱される。
【００２９】
ウェットティッシュ収納部５２とボトル収納部５４との間には、ウェットティッシュ収納部５２に収納されたウェットティッシュ容器２０がボトル収納部５４側へ移動しないよう、ウェットティッシュ容器２０を保持するための、保持棒６０が設けられている。保持棒６０は、収納容器部４５の内底面から上方に向けて突出するように設けられている。
本実施形態では保持棒６０は２本、ウェットティッシュ容器２０の短辺の両端部に当接するように設けられているが、２本に限定されることはない。また、このように保持するための保持部としては、棒状に限定されることはなく、板状等の他の形状であってもよい。
【００３０】
なお、内ケース３４ａにおいてウェットティッシュ収納部５２とボトル収納部５４の両収納部（凹部）が形成された部分は、他の部位から分離可能に設けてもよい（図示せず）。この場合は、両収納部の材質は、他の部分とは違う材質である金属の鉄、銅、ＳＵＳ、アルミニウム等を用いてもよく、またこれらの金属表面にフッ素コーティング、ビニールコーティング、メッキ、アルマイト処理等を施したものであってもよい。
【００３１】
さらに、上述した実施形態では、内ケース３４ａ内で、ウェットティッシュ収納部５２とボトル収納部５４とを仕切等を施さずに、連通させて設けたものであった。
しかし、ウェットティッシュ収納部５２とボトル収納部５４とを全く分離して設けるようにしてもよい（図示せず）。
【００３２】
次に、発熱体について説明する。
なお、本実施形態におけるボトル収納部５４とウェットティッシュ収納部５２とは１つの収納容器部４５内に形成されており、収納容器部４５の外壁面に発熱体５０が設けられているので、ボトル１０を加熱させるボトル用発熱体とウェットティッシュ容器２０を加熱する発熱体は兼用となっている。
【００３３】
収納容器部４５としての内ケース３４ａの外壁面には、発熱体５０の一例としての箔ヒーター（以下、符号５０として説明する）が接着剤または接着テープ等によって取り付けられている。
内ケース３４ａの外底面には、外壁面に取り付けられた箔ヒーター５０を連結する伝熱帯６２が配置されている。伝熱帯６２は、箔ヒーター５０を形成するアルミニウムと同様のアルミニウムの薄板等から構成されている。伝熱帯６２は、アルミニウムの薄板等をほぼ帯状に形成して、長手方向の両端部を箔ヒータ５０に重ねて貼り付けられて構成されており、内ケース３４ａの側面の熱を内ケース３４ａの底面へ伝えるように設けられている。このように、内ケース３４ａの外底面にはヒータ自体を設けずに、外壁面に設けたヒータの熱を伝える伝熱帯６２を設けただけであるので、部品点数の低減に伴う製造コストの削減と共に、使用時の電気使用量の低減をも図ることができる。
【００３４】
ここで、図１２〜図１５に基づいて箔ヒーター５０について詳細に説明する。
図１２に示すように、箔ヒーター５０は、コードヒーター６４を蛇行させて接触面積を増加させてアルミ箔６６の表面に貼り付け、アルミ箔６６の外部に導出したコードヒーター６４の端部に電源接続端子６５を設けたものである。
箔ヒーター５０は、全体として長尺な長方形である帯状に形成されており、収納容器部４５の外壁面の周囲に巻き付けて使用される。この箔ヒーター５０は、収納容器部４５の外壁面に巻き付けたときに、両端部が接触しない長さに形成されている。また、帯状の箔ヒーター５０の所定位置にはスリット６７が形成される。スリット６７は、収納容器部４５の周囲に巻き付ける際に、収納容器部４５のコーナーに当たる位置に設けられている。このようなスリット６７を形成することによって、収納容器部４５の外壁面が互いに垂直に形成されておらず底面が小径となるように傾斜されている場合であっても、外壁面に密着させて巻き付けることができる。
【００３５】
本実施形態の箔ヒーター５０の帯状の両端部には、コードヒータ６４が配置されておらず、コードヒータ６４が設けられている部分からの熱を伝えて収納容器部４５を加熱する伝熱部５３として設けられている。
図１３に示すように、箔ヒーター５０を収納容器部４５の周囲に巻き付けると、伝熱部５３がボトル収納部５４付近に到達する。上述したように、箔ヒーター５０は伝熱部５３同士が繋がる長さには形成されていないので、箔ヒーター５０では覆われない部分に箔ヒーター５０の熱を伝えるためにアルミニウムの薄板等から成る伝熱片５９が設けられている。伝熱片５９は、両伝熱部５３に重ねて貼り付けられる。
【００３６】
なお、本実施形態では、収納容器部４５に貼り付けられた箔ヒーター５０のうち、ボトル収納部５４に対応する箇所の周囲に貼り付けられた部分が、ボトル１０を加熱させるためのボトル用発熱体５１に該当する。
すなわち、電源接続端子６５よりも若干内側から伝熱部５３まで、および伝熱部５３に貼り付けられた伝熱片５９を含めた部分がボトル用発熱体５１として機能する。
【００３７】
なお、図１１に示すように、箔ヒーター５０の電源接続端子６５から図示しない電源プラグへの途中には、自動温度調節器２５や温度ヒューズ２６が接続されており、箔ヒーター５０が所定温度以上にはならないように制御される。
【００３８】
箔ヒーターの他の形態を説明する。
箔ヒーター５０は、図１４に示すように２枚のアルミ箔６６でコードヒーター６４を挟むようにして形成したものであってもよい。
このような箔ヒーター５０は、コードヒーター６４で生じた熱をアルミ箔６６に均一に伝えるので伝熱面積が大きくなり、温度のムラが少なく、収納容器部４５を効率よく加熱できる。また、接着剤や接着テープ等で貼るだけで簡単に固定することができる。
【００３９】
また、図１５には、箔ヒーターにおいて上述した形態とは異なる他の箔ヒーターの形態を示している。
ここで示す箔ヒーター６８は、収納容器部４５の底面に対応する中央部７０が、伝熱帯６２の部分を残して開口されて成り、収納容器部４５の外壁面のみにコードヒーター６４を取り付け可能なように形成されている。コードヒーター６４は、収納容器部４５の外壁面を蛇行しつつ１周するように配置されている。
この箔ヒーター６８は、両面接着テープ１０２の接着体１０２ａの一方の表面上にコードヒーター６４を貼り付け、さらにその上からアルミ箔６６を貼り付けてコードヒーター６４を覆ったものである。両面接着テープ１０２の接着体１０２ａの他方の表面には、表面紙１０２ｂが設けられている。
【００４０】
箔ヒーター６８を収納容器部４５の外壁面に取り付けるには、まず両面接着テープ１０２の表面紙１０２ｂを取り去り、次いで中央部７０の四隅に位置する小幅部７１を折り曲げて、露出した接着体１０２ａの他方の表面を収納容器部４５の外壁面に貼り付けることによって行われる。
【００４１】
次いで、上ケース３２について、図１〜図７と、図１６〜図１７に基づいて説明する。
上ケース３２は、ウェットティッシュ収納部５２およびボトル収納部５４の開口上面を閉塞するように、下ケース３４の上面に装着される。
上ケース３２は、下ケース３４に対して上述した留め具４０および係合部７２の係合によって固定される。上ケース３２は、留め具４０を外して係合部７２の係合を解除することによって下ケース３４から脱着自在に設けられている。
【００４２】
上ケース３２は、外蓋８０と、下ケース３４の上面開口部を閉塞する内蓋８２とから成る二重壁構造に形成されている。
これら外蓋８０と内蓋８２との間には断熱空間８３が形成されるので、この断熱空間８３が装置内部と外部との断熱をして装置内の保温性が向上する。また、外蓋８０と内蓋８２とは、ネジ穴を有するボス部８４，８５との間をネジ止めすることによって固定されている。
【００４３】
外蓋８０には、ウェットティッシュを取り出すウェットティッシュ取り出し口８６と、ボトルを取り出すボトル取り出し口８８とが設けられている。
各取り出し口８６，８８には、それぞれ別々の蓋が設けられている。すなわち、ウェットティッシュ取り出し口８６には、ウェットティッシュ用蓋９０が設けられ、ボトル取り出し口にはボトル用蓋９２が設けられ、各取り出し口を閉塞している。
ウェットティッシュ用蓋９０とボトル用蓋９２は上面から見ると、併せて長円状に形成されており、それぞれ、回動軸９４，９６により外蓋８０の軸受９７に回動自在に取り付けられている。
また、ボトル用蓋９２には、ウェットティッシュ用蓋９０の下端部に当接するようにウェットティッシュ用蓋９０側へ突出する押圧片９８が形成されている。
つまり、ウェットティッシュ用蓋９０の下端部がボトル用蓋９２を押圧するための押圧部９１として設けられている。
【００４４】
ウェットティッシュ用蓋９０とボトル用蓋９２のそれぞれには、各蓋の上方への回動を係止するためのロック機構１００，１０４が設けられている。
各ロック機構１００，１０４は、各蓋９０，９２の回動軸９４，９６とは反対側の端部に設けられた係合凹部（図示せず）に係合する係合爪１０６，１０７と、係合爪１０６，１０７を係合凹部から解除する方向へ回動させる押しボタン１０８，１１０とを備えている。係合爪１０６，１０７は、スプリング１１１，１１２により、各蓋９０，９２へ近づく方向（図１６で矢印Ａ方向）に突出するように付勢されている。
また、各蓋９０，９２は、ねじりコイルバネ１１４，１１５（特許請求の範囲でいう付勢手段）によって回動軸９４，９６を中心軸として上方へ回動するように付勢されている。このため、押しボタン１０８，１１０を押して係合爪１０６，１０７を係合凹部から解除するとねじりコイルバネ１１４，１１５の付勢力によって各蓋９０，９２が開くことができる。
このような構成であるので、ユーザは片手で各押しボタンを押すだけ、すなわちワンプッシュで各蓋９０，９２を開けることができるので、簡単な操作を実現できる。
【００４５】
各蓋の動作について説明する。
ウェットティッシュ用蓋９０は、押しボタン１０８を押すことでボトル用蓋９２とは無関係に単独で開くことができる。また、ボトル用蓋９２を開ける際には、押しボタン１１０を押すことで開くことができるが、押圧片９８がウェットティッシュ用蓋９０によって下方に押圧されているので、ウェットティッシュ用蓋９０が開いているときか、またはウェットティッシュ用蓋９０と同時に開けないと開かないように設けられている。
また、ウェットティッシュ用蓋９０を閉じる場合、ねじりコイルバネ１１４の付勢力に抗してウェットティッシュ用蓋９０を直接押すことで閉じることができる。かかる場合、ボトル用蓋９２も開いていれば、ウェットティッシュ用蓋９０の下端部がボトル用蓋９２に設けられている押圧片９８を押圧するのでボトル用蓋９２も同時に閉じさせることができる。
一方、ボトル用蓋９２は、ボトル用蓋９２をねじりコイルバネ１１５の付勢力に抗して押すことで単独で閉じることができる。
【００４６】
また、各ロック機構１００，１０４を連動させるように設けてもよい（図示せず）。
例えば、ボトル用蓋９２を開けさせる押しボタン１１０がウェットティッシュ用蓋９０を開けさせる押しボタン１０８に連結しており、ボトル用蓋９２を開けさせる押しボタン１１０を押せば、ボトル用蓋９２とウェットティッシュ用蓋９０の両方が開くようにするのである。このようにすれば、洗浄液を使う際には、ウェットティッシュも使用するのが通常であろうから、わざわざ２つの押しボタンを押さなくとも済むという作用効果がある。
一方、各ロック機構１００，１０４を連動させた場合であっても、ウェットティッシュの使用時には、必ずしも洗浄液を使用するとは限らないので、ウェットティッシュ用蓋９０を開けさせる押しボタン１０８を押してもボトル用蓋９２を開かせる必要はない。
【００４７】
なお、各蓋９０，９２の他の開閉機構としては、各蓋９０，９２が外蓋８０と一体に形成され、外蓋８０との接続部の樹脂の弾力性によって常時上方に付勢するようにしてもよい（図示せず）。
さらに、各蓋９０，９２は着脱自在に設けられていてもよい（図示せず）。
【００４８】
ウェットティッシュ取り出し口８６の構造について説明する。
内蓋８２の略中央部には、開口部１２０が設けられている。
一方、外蓋８０の中央部は凹設されて中蓋部１２２に形成されており、この中蓋部１２２の中心に形成された取り出し孔１２４が内蓋８２の開口部１２０と連通しており、この取り出し孔１２４からウェットティッシュが取り出される。
【００４９】
中蓋部１２２の上方には、ウェットティッシュ用蓋９０が設けられている。また、ウェットティッシュ用蓋９０の下面には、中蓋部１２２の段差１２５の内壁に略当接し、取り出し孔１２４を囲む突部１２６が、下方に向けて設けられている。
このように、取り出し孔１２４の外周を突部１２６と段差１２５で囲んでいるので、取り出し孔１２４から水分が蒸発しても、水分の外部への流出を妨げ、ウェットティッシュの乾燥を防ぐことができる。
【００５０】
内蓋８２には、収納容器部４５の上端縁部４７に形成されている下面７４ａと上面７４ｂに略当接するように段差１２８が形成されている。このように段差１２８を設けたことで、上ケース３２を下ケース３４に装着する際の位置決めが容易となり、しかも収納容器部４５の気密性が高まり、ウェットティッシュから水分が蒸発しても、水分が外部へ流出することを防止し、ウェットティッシュの乾燥を防ぐことができる。
【００５１】
本実施形態では、上述したように、外蓋８０に凹設された中蓋部１２２等を形成し、ウェットティッシュ用蓋９０に突部１２６を設けた構成を採用したが、このような構造になっているのは、ウェットティッシュ取り出し口８６だけでよい。
すなわち、ボトル取り出し口８８は、外蓋８０に形成された取り出し孔１３０と、内蓋８２に形成された開口部１３２とが連通して形成されているだけである。ボトル用蓋９２の下面にも突部等は設けられてはおらず、単なる平面状に形成されている。
ボトル取り出し口８８からは、キャップ１１のついたボトル１０を直接取り出すので、ウェットティッシュのように乾燥のおそれなどが無いからである。
【００５２】
次に、洗浄用に用いる液体と、この液体を入れるボトルについて図１９〜図２０に基づいて説明する。
洗浄用に用いる液体としては、単なる水道水やあるいはミネラルウォーターを用いることができる。水以外には、汚れを落とす成分を有する薬液を用いてもよい。
【００５３】
ボトル１０は、液体を入れることができ、且つ入れた液体を何らかの手段で取り出すことができればどのような形状であってもよいが、本実施形態では断面が楕円形であって、上部の首部で細くくびれたような曲線で構成されるものが示されている。
ボトル１０の容量は、数回分使用可能程度の液体が貯留される容量であればよい。数回分使用する程度の容量とすることにより、液体を使用した後に新たな液体を追加しても、短時間で加温することができる。また最初に液体を使った後に追加をし忘れた場合であっても、まだ次に使用する量は残っているので、使用間隔が短い場合でも数回分は連続して使用可能である。
【００５４】
ボトル１０の上部には、ねじ込み式ではめ込まれるキャップ１１が設けられている。キャップ１１は、内部の液体を噴出可能な噴出穴１２が形成された噴出部１４と、噴出部上方を覆う蓋部１６とを有している。蓋部１６は、キャップ本体１１ａに、折り曲げ自在な取り付け片１７によって取り付けられている。
ボトル１０は、弾性を有する弾性体で構成されている。すなわち、例えばポリプロピレン等の材質で形成されている。これにより、内部に入れられた液体を使用する場合には、ボトル１０の側面を押すことにより（図１９の矢印Ｂ）、噴出穴１２から液体を噴出させて用いることができる。
【００５５】
以上、本発明の好適な実施の形態について種々述べてきたが、本発明は上述する実施の形態に限定されるものではなく、発明の精神を逸脱しない範囲で多くの改変を施し得るのはもちろんである。
【００５６】
【発明の効果】
本発明に係るウェットティッシュ加熱装置によれば、ボトルを取り出す必要がないときは、ウェットティッシュを取り出す蓋だけを開けて使用することができ、必要以上に装置内部を開放しないので温度低下を防止できる。
また、第１の蓋の閉じる動作に連動して、第２の蓋が閉じる動作を行なうように設けられていれば、通常はウェットティッシュの使用が終わればボトルの使用も終了しているはずであるので、ウェットティッシュを使用した後にウェットティッシュの取り出し口の蓋を閉じれば、これに伴ってボトルを取り出し口の蓋も閉じられる。このため、蓋閉じに手間がかからず、迅速に蓋を閉めることができるので、装置内部の温度低下や水分の蒸発の防止に寄与する。
【図面の簡単な説明】
【図１】本発明に係るウェットティッシュ加熱装置の正面図である。
【図２】図１に示すウェットティッシュ加熱装置の平面図である。
【図３】図１に示すウェットティッシュ加熱装置の側面図である。
【図４】図１に示すウェットティッシュ加熱装置のウェットティッシュ用蓋とボトル用蓋の両方を開けたところを示す正面図である。
【図５】図１に示すウェットティッシュ加熱装置のウェットティッシュ用蓋のみを開けたところを示す正面図である。
【図６】ウェットティッシュ加熱装置を側面からみた断面図である。
【図７】ウェットティッシュ加熱装置を正面からみた断面図である。
【図８】下ケースを側面からみた組立分解図である。
【図９】下ケースを正面からみた組立分解図である。
【図１０】収納容器部の平面図である。
【図１１】収納容器部の底面図である。
【図１２】加熱体を示す説明図である。
【図１３】加熱体の収納容器部への装着状況を示す説明図である。
【図１４】加熱体の他の例を示す断面図である。
【図１５】加熱体の他の例を示す説明図である。
【図１６】上ケースの取り出し口があらわになるように、ウェットティッシュ用蓋とボトル用蓋を取り外したところを示す平面図である。
【図１７】ボトル用蓋の平面図である。
【図１８】ウェットティッシュ用蓋の断面図である。
【図１９】ボトルの説明図である。
【図２０】ボトルのキャップを示す説明図である。
【符号の説明】
１０  ボトル
１１  キャップ
１１ａ        キャップ本体
１１  ボトル
１２  噴出穴
１４  噴出部
１６  蓋部
１７  取り付け片
２０  ウェットティッシュ容器
２２  連結部材
２４  鉤状部
２５  自動温度調節器
２６  温度ヒューズ
３０  ウェットティッシュ加熱装置
３２  上ケース
３３  電源スイッチ
３４  下ケース
３４ａ        内ケース
３４ｂ  外ケース
３５  脚部
３６  把手
３７  把手収納部
３９  電源表示ランプ
４０  留め具
４１  凹部
４４  嵌合部
４５  収納容器部
４６，４８  ボス部
４７  上端縁部
４９  外壁部
５０  発熱体（箔ヒーター）
５１  ボトル用発熱体
５２  ウェットティッシュ収納部
５３  伝熱部
５４  ボトル収納部
５５  突条
５６  収納凹部
５９  伝熱片
６０  保持棒
６２  伝熱帯
６４  コードヒーター
６５  電源接続端子
６６  アルミ箔
６７  スリット
６８  箔ヒーター
７０  中央部
７１  小幅部
７２  係合部
８０  外蓋
８２  内蓋
８３  断熱空間
８６  ウェットティッシュ取り出し口
８８  ボトル取り出し口
９１  押圧部
９０  ウェットティッシュ用蓋
９２  ボトル用蓋
９７  軸受
９８  押圧片
１００，１０４  ロック機構
１０２  両面接着テープ
１０２ａ  接着体
１０２ｂ  表面紙
１０８，１１０  押しボタン
１１１，１１２  スプリング
１１４，１１５  ねじりコイルバネ
１２０，１３２  開口部
１２２  中蓋部
１２４，１３０  取り出し孔
１２５，１２８  段差
１２６  突部
【図１】
2004208782.tif 000003
【図２】
2004208782.tif 000004
【図３】
2004208782.tif 000005
【図４】
2004208782.tif 000006
【図５】
2004208782.tif 000007
【図６】
2004208782.tif 000008
【図７】
2004208782.tif 000009
【図８】
2004208782.tif 000010
【図９】
2004208782.tif 000011
【図１０】
2004208782.tif 000012
【図１１】
2004208782.tif 000013
【図１２】
2004208782.tif 000014
【図１３】
2004208782.tif 000015
【図１４】
2004208782.tif 000016
【図１５】
2004208782.tif 000017
【図１６】
2004208782.tif 000018
【図１７】
2004208782.tif 000019
【図１８】
2004208782.tif 000020
【図１９】
2004208782.tif 000021
【図２０】
2004208782.tif 000022